(57)【特許請求の範囲】
【請求項１】
周囲照度を検出する照度センサと、前記照度センサの検出結果に応じて光源の出力を制御する制御部とを備える照明装置において、
前記制御部は、前記周囲照度が点灯レベルを上回ると前記光源を消灯し前記点灯レベルを下回ると点灯するものであり、前記周囲照度が前記点灯レベル以上に設定された所定値を上回った時から一定時間、前記照度センサの検出結果の入力を禁止するものであり、前記周囲照度の変化率が大きい場合は前記一定時間を長く、前記周囲照度の変化率が小さい場合は前記一定時間を短くすることを特徴とする照明装置。
【請求項２】
前記一定時間は、前日の昼間の時間の長さよりも短くすることを特徴とする請求項１記載の照明装置。
【請求項３】
前記一定時間は、
２４−（前日の夜間の時間の長さ）＋α  （αは定数）・・・（式１）
に設定することを特徴とする請求項１記載の照明装置。ことを特徴とする請求項１記載の照明装置。
【請求項４】
前記周囲照度が暗から明へと変化する場合は、前記点灯レベルよりも低いレベルから前記周囲照度の判定を開始し、前記周囲照度が明から暗へと変化する場合は、前記点灯レベルよりも高いレベルから前記周囲照度の判定を開始することを特徴とする請求項１〜３のいずれかに記載の照明装置。
【発明の詳細な説明】
【０００１】
【発明の属する利用分野】
本発明は照明装置に関するものであり、更に詳しくは、屋外・屋側など昼夜での外光の変化がある空間に設置する照明装置に関する。
【０００２】
【従来の技術】
従来、周囲照度を検出する照度センサを用い、図１４に示す様に、夜から朝になり周囲照度が点灯レベルを上回ると光源を消灯させる照明装置がある。
【０００３】
【発明が解決しようとする課題】
しかし、この様な照明装置の場合、図１５に示す様に、一旦、周囲照度が点灯レベルを上回ることで光源を消灯し、その後、雲などの影響を受けて周囲照度が低下して点灯レベルを下回ると、図１５のＡに示す様に再点灯してしまい、照明装置が誤動作したとして周囲の人に違和感を与えてしまう、という問題点が生じてしまう。
【０００４】
本発明は、前記問題点に鑑みてなされたものであり、その目的とするところは、周囲照度が上昇した際に誤動作なく光源を制御することが可能な照明装置を提供することである。
【０００５】
【課題を解決するための手段】
前記問題点を解決するために、請求項１記載の発明によれば、周囲照度を検出する照度センサと、照度センサの検出結果に応じて光源の出力を制御する制御部とを備え、制御部は、周囲照度が点灯レベルを上回ると光源を消灯し点灯レベルを下回ると点灯するものであり、周囲照度レベルが点灯レベル以上に設定された所定値を上回った時から一定時間、照度センサの検出結果の入力を禁止するものであり、前記周囲照度の変化率が大きい場合は前記一定時間を長く、前記周囲照度の変化率が小さい場合は前記一定時間を短くすることを特徴とする。
【００１０】
請求項２記載の発明によれば、一定時間は、前日の昼間の時間の長さよりも短くすることを特徴とする。
【００１１】
請求項３記載の発明によれば、一定時間は、２４−（前日の夜間の時間の長さ）＋α（αは定数）・・・（式１）に設定することを特徴とする。
【００１２】
請求項４記載の発明によれば、周囲照度が暗から明へと変化する場合は、点灯レベルよりも低いレベルから周囲照度の判定を開始し、周囲照度が明から暗へと変化する場合は、点灯レベルよりも高いレベルから周囲照度の判定を開始することを特徴とする。
【００１３】
【実施の形態】
（実施の形態１）
本発明に係る第１の実施の形態のブロック構成図を図１に示す。
【００１４】
図１において、１は照度センサ、３は制御部、４は照明器具、５は点灯装置、６は光源を示す。
【００１５】
照度センサ１はＣｄＳやフォトダイオードとその周辺回路とで構成されており、周囲照度を検出し、その検知レベルを制御部３に知らせるものである。なお、照度センサ１は光源と同一の筐体内に配置されても、該筐体の外部に配置されても構わない。制御部３は、マイコンなどで構成されており、照度センサ１から送信される情報などにより点灯装置５に光源６の点灯情報を送るものである。点灯装置５は、例えば、光源６が白熱電球の場合は位相制御を行い、光源６が蛍光灯の場合は高周波動作を行う等、光源６の種類に応じた制御手段を有するものであれば何でもよい。光源６は、その用途によって何でもよく、灯数なども１灯に限定しなくても構わない。
【００１６】
次に、図２を用いて動作を簡単に説明する。図２に示す点灯レベルを周囲照度が越えると、夜から朝になった判断し、光源６が消灯する。さらに周囲照度が上昇し、点灯レベルより少し高めの所定値（以下、照度センサ入力禁止レベルと呼ぶ。）を上回ると、上回ってから一定時間ｔ１（以下、照度センサ入力禁止時間ｔ１と呼ぶ）だけ、照度センサ１から制御部３への照度センサ１の検知結果の入力を禁止する。照度センサ１からの検知結果の入力を禁止することにより、例えば、雲などの影響を受けて周囲照度が低下して点灯レベルを下回っても、前記従来例の様に再点灯することがなく、誤動作を防止できる。
【００１７】
ここで、照度センサからの検知結果の入力を禁止する手段は、電気的あるいは機械的に禁止するものでもよく、制御部３でのソフト処理によって行うものでもよく、要は、上述の様な誤動作を防止できる手段であれば何でもよい。また、制御を簡単にするために、図２に示す点灯レベルと照度センサ入力禁止レベルとを同一としてもよい。
【００１８】
更に、本実施の形態では、夜に光源を点灯し昼間に消灯する場合としたが、夜間点灯時に複数の点灯状態（全点灯・調光・点滅など）を切り換える場合や、屋外の看板などの様に昼間に全点灯し夜間は周囲が暗いので調光点灯を行なう場合など、昼夜で点灯条件を任意に設定しても構わない。
【００１９】
更にまた、照度センサ入力禁止時間ｔ１は、図３に示す様に、夜明け前後の周囲照度のふらつきの対応に重点を置く場合、昼間の周囲照度が最大になる時間帯まで必要はなく、周囲照度が照度センサ入力禁止レベルを上回ってから数１０分〜数時間だけで構わない。また、照度センサ入力禁止時間ｔ１は、図４に示す様に、夜明けに周囲照度が照度センサ入力禁止レベルを上回ってからから、日没に周囲照度が照度センサ入力禁止レベルを下回るまでの全期間としてもよい。但し、この場合、例えば正午頃に何らかの影響で暗くなっると照度センサ入力禁止を解除することになるので、ある一定の期間（少なくとも１年）を通して正午頃までは照度センサの入力をレベルにかかわらず、照度センサ入力禁止としておき、正午頃以降に照度センサ入力禁止を解除することにより、夕方に正しく誤動作なく動作することができる。
【００２０】
（実施の形態２）
本発明に係る第２の実施の形態の動作波形図を図５、図６に示す。
【００２１】
本実施の形態では、前記第１の実施の形態における照度センサ入力禁止時間ｔ１の設定方法を示す。
【００２２】
先ず、図５、６において、周囲照度が点灯レベルを越えてから所定時間ｔａだけ経過後の周囲照度レベルＬｔａを見る。図５ではＬｔａ＝Ｌ１、図６ではＬｔａ＝Ｌ２であり、Ｌ１＜Ｌ２とすると、図６の場合の方が図５の場合より、周囲照度が早く高くなることより昼間の照度レベルも高くなり、そのため日の入り時刻も遅くなり、結果的に、日の出から日の入りまでの時間が長くなることが予想される。そこで、ｔａ時の照度レベルが高いときは照度センサ入力禁止時間ｔ１を長く、ｔａ時の照度レベルが低いときは照度センサ入力禁止時間ｔ１を短くする。
【００２３】
この様に、周囲照度レベルに応じて照度センサ入力禁止時間を変化させることにより、昼間の照度変化による誤動作がより少ない照明装置を提供することができる。
【００２４】
（実施の形態３）
本発明に係る第３の実施の形態の動作波形図を図７、図８に示す。
【００２５】
本実施の形態では、前記第１の実施の形態における照度センサ入力禁止時間ｔ１の別の設定方法を示すものであり、前記第２の実施の形態と異なる点は、周囲照度が点灯レベルを越えてから所定時間ｔ２だけ経過後での周囲照度の変化率の大小により、照度センサ入力禁止時間ｔ１を決定する様に構成したことであり、その他の第２の実施の形態と同一構成には同一符号を付すことにより説明を省略する。
【００２６】
本実施の形態では、ｔ２時での周囲照度の変化率が、図７ではＢ１、図８ではＢ２であり、Ｂ２＞Ｂ１とすると、図８の場合の方が図７の場合より周囲照度の立ち上がりが早く絶対値も高くなると考えられ、結果的に、日の出から日の入りまでの時間が長いと予想される。そこで、ｔ２時の周囲照度の変化率が大きいときは照度センサ入力禁止時間ｔ１を長く、ｔ２時の照度レベルが小さいときは照度センサ入力禁止時間ｔ１を短くする。つまり、Ｂ２の方をＢ１の場合よりも長くする。
【００２７】
この様に、ある時の周囲照度の変化率で判断するので、判断時の周囲照度の絶対値に影響されないと言った利点がある。
【００２８】
（実施の形態４）
本発明に係る第４の実施の形態の動作波形図を図９、図１０に示す。
【００２９】
本実施の形態では、前記第１の実施の形態における照度センサ入力禁止時間ｔ１の別の設定方法を示すものであり、前記第２の実施の形態と異なる点は、周囲照度の最大値により照度センサ入力禁止時間ｔ１を決定する様に構成したことであり、その他の第２の実施の形態と同一構成には同一符号を付すことにより説明を省略する。
【００３０】
本実施の形態では、周囲照度の最大値が、図９ではＭ１、図１０ではＭ２であり、Ｍ２＞Ｍ１とすると、図１０の場合の方が図９の場合より日の出から日の入りまでの時間が長いと予想される。そこで、周囲照度の最大値が大きいときは照度センサ入力禁止時間ｔ１を長く、周囲照度の最大値が小さいときは照度センサ入力禁止時間ｔ１を短くする。つまり、Ｍ２の方をＭ１の場合よりも長くする。
【００３１】
この様に、周囲照度の最大値のみを見ていればよく、制御が簡単になる利点がある。
【００３２】
（実施の形態５）
本発明に係る第５の実施の形態の動作波形図を図１１に示す。
【００３３】
本実施の形態では、前記第１の実施の形態における照度センサ入力禁止時間ｔ１の別の設定方法を示すものであり、前記第２の実施の形態と異なる点は、前日の昼間の長さで翌日の照度センサ入力禁止時間ｔ１を決定する様に構成したことであり、その他の第２の実施の形態と同一構成には同一符号を付すことにより説明を省略する。
【００３４】
つまり、前日の昼間の時間を計測し、前日の昼間の時間より多少短めの時間を翌日の照度センサ入力禁止時間ｔ１として設定することにより、季節変動などで昼間の時間が変化しても誤動作することなく制御することができる。
【００３５】
（実施の形態６）
本発明に係る第６の実施の形態の動作波形図を図１２に示す。
【００３６】
本実施の形態では、前記第１の実施の形態における照度センサ入力禁止時間ｔ１の別の設定方法を示すものであり、前記第２の実施の形態と異なる点は、前日の夜の長さで翌日の照度センサ入力禁止時間ｔ１を決定する様に構成したことであり、その他の第２の実施の形態と同一構成には同一符号を付すことにより説明を省略する。
【００３７】
つまり、前日の夜の時間ｔｎｉｇｈｔを計測し、
翌日の照度センサ入力禁止時間ｔ１＝２４−ｔｎｉｇｈｔ＋α（α：数１０分程度）・・・（式１）
として設定することにより、季節変動などで昼間の時間が変化しても誤動作することなく制御することができる。
【００３８】
（実施の形態７）
本発明に係る第７の実施の形態の動作波形図を図１３に示す。
【００３９】
本実施の形態は、昼夜が切り替わる時に確実に変化を検出するために明暗判定時間を設けたものである。
【００４０】
明暗判定を行う場合、判定開始を点灯レベルＬにし明暗判定時間を設けると、判定が完了したときには、既に点灯レベルＬより明るくあるいは暗くなってしまう。そこで、明暗判定時間分の変化を考慮して、判定完了時に点灯レベルＬになるように、暗から明へと変化する場合は、明暗判定時間で変化する分だけ点灯レベルＬより低い値Ｌ１を判定開始レベルとして設定する。逆に、明から暗へと変化する場合は、明暗判定時間で変化する分だけ点灯レベルＬより高い値Ｌ２を判定開始レベルとして設定する。
【００４１】
この様に構成することにより、点灯レベル近傍にて確実に明暗を切り替えることができる。なお、明暗判定時間は用途によって任意に設定すればよく（例えば、数１０秒〜数１０分）、値Ｌ１や値Ｌ２も季節・設置場所・明暗判定時間などによって任意に設定すればよい。
【００４２】
【発明の効果】
請求項１に記載の発明によれば、夜から朝になって消灯し、さらに周囲照度が上昇した際に、雲などの影響を受けて周囲照度が低下して点灯レベルを下回っても再点灯することがなく、誤動作なく光源を制御することに加えて、周囲照度の絶対値に影響されずに照度センサ入力禁止時間を決定可能な照明装置を提供できる。
【００４６】
請求項２、請求項３に記載の発明によれば、請求項１記載の発明の効果に加えて、季節変動などで昼間の時間が変化しても誤動作なく光源を制御することが可能な照明装置を提供できる。
【００４７】
請求項４記載の発明によれば、請求項１記載の発明の効果に加えて、点灯レベル近傍にて確実に明暗を切り替えることが可能な照明装置を提供できる。
【図面の簡単な説明】
【図１】本発明に係る第１の実施の形態のブロック構成図を示す。
【図２】前記実施の形態に係る動作波形図である。
【図３】前記実施の形態に係る別の動作波形図である。
【図４】前記実施の形態に係る別の動作波形図である。
【図５】本発明に係る第２の実施の形態の動作波形図を示す。
【図６】前記実施の形態に係る別の動作波形図である。
【図７】本発明に係る第３の実施の形態の動作波形図を示す。
【図８】前記実施の形態に係る別の動作波形図である。
【図９】本発明に係る第４の実施の形態の動作波形図を示す。
【図１０】前記実施の形態に係る別の動作波形図である。
【図１１】本発明に係る第５の実施の形態の動作波形図を示す。
【図１２】本発明に係る第６の実施の形態の動作波形図を示す。
【図１３】本発明に係る第７の実施の形態の動作波形図を示す。
【図１４】本発明に係る従来例の動作波形図を示す。
【図１５】本発明に係る従来例の別の動作波形図を示す。
【符号の説明】
１      照度センサ
３      制御部
６      光源
ｔ１    照度センサ入力禁止時間
【図１】
0003767149.tif 000002
【図２】
0003767149.tif 000003
【図３】
0003767149.tif 000004
【図４】
0003767149.tif 000005
【図５】
0003767149.tif 000006
【図６】
0003767149.tif 000007
【図７】
0003767149.tif 000008
【図８】
0003767149.tif 000009
【図９】
0003767149.tif 000010
【図１０】
0003767149.tif 000011
【図１１】
0003767149.tif 000012
【図１２】
0003767149.tif 000013
【図１３】
0003767149.tif 000014
【図１４】
0003767149.tif 000015
【図１５】
0003767149.tif 000016